(57)【要約】【課題】ＩＣタグの耐久性および取扱性を高める。【解決手段】正四面体のケース本体１３の内面に断熱材よりなる支持壁１４を保持し、この支持壁１４にＩＣタグ１１を支持したので、ＩＣタグ１１が狭い隙間に入り込み難いだけでなく、どのような姿勢に置いても安定して取扱性が向上する。またＩＣタグ１１を剥き出しで使用する場合に比べて衝撃に対する耐久性を高めることができるだけでなく、ケース本体１３からＩＣタグ１１に熱が伝達され難くして耐熱性を高めることができる。特に支持壁１４をケース本体１３の二つの頂点と、それらの頂点を通らぬ辺の中点とを通る板体で構成したので、ＩＣタグ１１をケース本体１３の中央部に支持して耐熱性を更に高めることができる。更にアンテナ部１６をケース本体１３の頂点から外部に露出させたので、アンテナ部１６がケース本体１３の下敷きになる確率を低くして通信の感度を確保することができる。【選択図】      図１
2005038039.tif 000002
【特許請求の範囲】
【請求項１】
内部にＩＣタグ（１１）を収納するＩＣタグ収納ケースであって、
三角錐状のケース本体（１３）の内面に支持壁（１４）を保持し、この支持壁（１４）にケース本体（１３）の内面に接触しないようにＩＣタグ（１１）を支持したことを特徴とするＩＣタグ収納ケース。
【請求項２】
支持壁（１４）は、正四面体のケース本体（１３）の二つの頂点と、それらの頂点を通らぬ辺の中点とを通る三角形の板体であることを特徴とする、請求項１に記載のＩＣタグ収納ケース。
【請求項３】
ＩＣタグ（１１）のアンテナ部（１６）を、ケース本体（１３）の外部に露出させたことを特徴とする、請求項１に記載のＩＣタグ収納ケース。
【請求項４】
アンテナ部（１６）を、ケース本体（１３）の頂点から外部に露出させたことを特徴とする、請求項３に記載のＩＣタグ収納ケース。
【請求項５】
支持壁（１４）に複数のＩＣタグ（１１）を支持したことを特徴とする、請求項１に記載のＩＣタグ収納ケース。
【請求項６】
支持壁（１４）を断熱材で構成したことを特徴とする、請求項１に記載のＩＣタグ収納ケース。
【発明の詳細な説明】
【０００１】
【発明の属する技術分野】
本発明は、内部にＩＣタグを収納するＩＣタグ収納ケースに関する。
【０００２】
【従来の技術】
従来、自動車等の生産工程において、製品に関する情報を記録したバーコードラベルを車体に貼り付けていた。しかしながら、バーコードは書き換えができないため、情報の追加や変更があった場合にバーコードラベルを貼り代える必要があり、その作業が面倒であった。またバーコードの情報を読み取るときには、バーコードリーダとバーコードラベルとの位置関係を精密に管理する必要があり、読み取りに時間が掛かる場合があった。そこで、リーダアンドライタを用いて非接触で情報の読み取りおよび書き込みが可能なＩＣカードやＩＣタグを用いれば、それらの情報を一元的に管理して有効利用を図ることが容易になる。
【０００３】
かかるＩＣカードやＩＣタグは、下記特許文献１〜４により公知である。
【０００４】
【特許文献１】
特開２００２−３２０７６３号公報
【特許文献２】
実開平５−３０８７４号公報
【特許文献３】
特開２００２−２３０５０３号公報
【特許文献４】
特開２００１−２５１６８７号公報
【０００５】
【発明が解決しようとする課題】
ところでＩＣカードやＩＣタグは薄く小型であるため、剥き出しで使用すると衝撃や熱で損傷して情報の読み出しが不能になる可能性があるだけでなく、自動車のグローブボックスやトランクルームに保管したときに物の隙間に入り込んで行方不明になったり取り出し難くなったりする可能性がある。
【０００６】
本発明は前述の事情に鑑みてなされたもので、ＩＣタグの耐久性および取扱性を高めることを目的とする。
【０００７】
【課題を解決するための手段】
上記目的を達成するために、請求項１に記載された発明によれば、内部にＩＣタグを収納するＩＣタグ収納ケースであって、三角錐状のケース本体の内面に支持壁を保持し、この支持壁にケース本体の内面に接触しないようにＩＣタグを支持したことを特徴とするＩＣタグ収納ケースが提案される。
【０００８】
上記構成によれば、三角錐状のケース本体の内部にＩＣタグを収納したので、ＩＣタグが狭い隙間に入り込み難いだけでなく、どのような姿勢に置いても安定して取扱性が向上する。また三角錐状のケース本体の内面に保持した支持壁に、そのケース本体の内面に接触しないようにＩＣタグを支持したので、ＩＣタグを剥き出しで使用する場合に比べて衝撃に対する耐久性を高めることができるだけでなく、ケース本体からＩＣタグに熱が伝達され難くして耐熱性を高めることができる。
【０００９】
また請求項２に記載された発明によれば、請求項１の構成に加えて、支持壁は、正四面体のケース本体の二つの頂点と、それらの頂点を通らぬ辺の中点とを通る三角形の板体であることを特徴とするＩＣタグ収納ケースが提案される。
【００１０】
上記構成によれば、ケース本体が正四面体であるので、どのような姿勢に置いても安定度が同じであり、また支持壁をケース本体の二つの頂点と、それらの頂点を通らぬ辺の中点とを通る三角形の板体で構成したので、ＩＣタグをケース本体の中央部に支持して耐熱性を更に高めることができる。
【００１１】
また請求項３に記載された発明によれば、請求項１の構成に加えて、ＩＣタグのアンテナ部を、ケース本体の外部に露出させたことを特徴とするＩＣタグ収納ケースが提案される。
【００１２】
上記構成によれば、ＩＣタグのアンテナ部をケース本体の外部に露出させたので、ケース本体の材質や形状に関わらずに安定した受送信を行うことができる。
【００１３】
また請求項４に記載された発明によれば、請求項３の構成に加えて、アンテナ部を、ケース本体の頂点から外部に露出させたことを特徴とするＩＣタグ収納ケースが提案される。
【００１４】
上記構成によれば、アンテナ部をケース本体の頂点から外部に露出させたので、ケース本体の三角形の面から外部に露出させる場合に比べて、アンテナ部がケース本体の下敷きになる確率を低くして通信の感度を確保することができる。
【００１５】
また請求項５に記載された発明によれば、請求項１の構成に加えて、支持壁に複数のＩＣタグを支持したことを特徴とするＩＣタグ収納ケースが提案される。
【００１６】
上記構成によれば、支持壁に複数のＩＣタグを支持したので、ＩＣタグの数を増加させて記憶される情報量を増加させることができるだけでなく、周波数の異なる複数のＩＣタグを同じケース本体に収納することで、種々の用途に対する汎用性を高めることができる。
【００１７】
また請求項６に記載された発明によれば、請求項１の構成に加えて、支持壁を断熱材で構成したことを特徴とするＩＣタグ収納ケースが提案される。
【００１８】
上記構成によれば、ＩＣタグを支持する支持壁を断熱材で構成したので、ＩＣタグに熱が伝達され難くして耐熱性を一層高めることができる。
【００１９】
【発明の実施の形態】
以下、本発明の実施の形態を、添付図面に示した本発明の実施例に基づいて説明する。
【００２０】
図１は本発明の第１実施例を示すもので、自動車の生産から廃棄までの諸情報を記憶するためのＩＣタグ１１はケース１２の内部に収納される。ケース１２は金属で正四面体に形成された中空のケース本体１３と、ケース本体１３の内部を２分する支持壁１４とで構成される。正四面体のケース本体１３は、同じ大きさの４つの正三角形の面Ａ，Ｂ，Ｃ，Ｄと、各々３つの面が集まる４つの頂点ａ，ｂ，ｃ，ｄとを備える。支持壁１４は、ケース本体１３の二つの頂点ａ，ｂと、他の二つの頂点ｃ，ｄを結ぶ辺の中点ｅとを通る三角形の平板であり、発泡スチロールのような断熱材で構成される。ケース本体１３は支持壁１４を組み付け可能なように、任意の割り面で分割される。
【００２１】
ＩＣタグ１１は、合成樹脂で形成した細長い長方形の板体の内部に、ＣＰＵ、ＲＯＭ、ＲＡＭ、Ｉ／Ｏ等を含むＩＣチップ１５を埋め込んだもので、支持壁１４に沿うように任意の方法で固定される。ＩＣタグ１１のＩＣチップ１５から延びる２本のアンテナ部１６，１６がケース本体１３の任意の２つの頂点、例えば頂点ａ，ｄからケース本体１３の外部に導き出される。
【００２２】
上記構造のＩＣタグ１１は、自動車のグローブボックスやトランクルームに保管され、生産、物流、営業等の各過程で、リーダアンドライタによる情報の読み込みおよび情報の書き込が電波を介して非接触で行われる。
【００２３】
小型で薄いＩＣタグ１１やＩＣカードを剥き出しで使用すると、グローブボックス内やトランクルーム内で物の隙間に入り込んで行方不明になったり取り出し難くなったりするが、本実施例の如く、ＩＣタグ１１をケース１２の内部に収納したことで、上記問題が解決される。また剥き出しのＩＣタグ１１は衝撃により損傷する虞があるが、ケース１２の内部に収納したことで衝撃に対する耐久性が向上する。
【００２４】
またケース本体１３の内面間を接続する支持壁１４にＩＣタグ１１を支持する際に、ＩＣタグ１１がケース本体１３に直接接触せず、ＩＣタグ１１およびケース本体１３の間に断熱空間が形成され、かつ支持壁１４が断熱材で構成されているので、ＩＣタグ１１への熱伝達を確実に阻止して耐熱性を高めることができる。しかもＩＣタグ１１がケース本体１３の中央部に支持されるため、ケース本体１３からの熱伝達を最小限に抑えることができる。
【００２５】
またケース本体１３は正四面体であるため、どの面Ａ，Ｂ，Ｃ，Ｄを下にして置いても転がらないように安定させることができ、ケース本体１３を正六面体（立方体）にするよりも安定度が向上する。しかもアンテナ部１６，１６をケース本体１３の頂点ｃ，ｄから外部に導き出したので、それらのアンテナ部１６，１６がケース本体１３の下敷きになる確率が小さくなり、ケース本体１３を金属製とした場合でも、アンテナ部１６，１６がケース本体１３に遮られて感度不良になることがない。
【００２６】
次に、図２に基づいて本発明の第２実施例を説明する。
【００２７】
第１実施例のケース１２の支持壁１４には１個のＩＣタグ１１が支持されているが、第２実施例のケース１２の支持壁１４には２個のＩＣタグ１１，１１が支持されている。このように、共通の支持壁１４に２個のＩＣタグ１１，１１を支持することで、ＩＣタグ１１そのものを変更せずに情報の記憶量を増加させることができ、また周波数の異なる複数のＩＣタグを同じケース１２に収納することで、受送信距離や指向性等を異ならせて種々の用途に対する汎用性を高めることができる。
【００２８】
次に、図３に基づいて本発明の第３実施例を説明する。
【００２９】
第１、第２実施例のケース本体１３は電波を透過しない金属製であったが、第３実施例のケース本体１３は電波を透過する合成樹脂製とされる。この場合、アンテナ部１６，１６をケース本体１３の外部に露出させる必要がないため、合成樹脂製のＩＣチップ１５の内部にアンテナ部１６，１６が埋め込まれる。この実施例によれば、外部に露出したアンテナ部１６，１６が物に絡まって損傷するのを防止することができる。
【００３０】
以上、本発明の実施例を説明したが、本発明はその要旨を逸脱しない範囲で種々の設計変更を行うことが可能である。
【００３１】
例えば、ケース本体１３の形状は正四面体に限定されず、三角錐であればよい。
【００３２】
また第１、第２実施例ではアンテナ部１６，１６をケース本体１３の頂点から外部に露出させているが、ケース本体１３の任意の位置から外部に露出させても良い。
【００３３】
【発明の効果】
以上のように請求項１に記載された発明によれば、三角錐状のケース本体の内部にＩＣタグを収納したので、ＩＣタグが狭い隙間に入り込み難いだけでなく、どのような姿勢に置いても安定して取扱性が向上する。また三角錐状のケース本体の内面に保持した支持壁に、そのケース本体の内面に接触しないようにＩＣタグを支持したので、ＩＣタグを剥き出しで使用する場合に比べて衝撃に対する耐久性を高めることができるだけでなく、ケース本体からＩＣタグに熱が伝達され難くして耐熱性を高めることができる。
【００３４】
また請求項２に記載された発明によれば、ケース本体が正四面体であるので、どのような姿勢に置いても安定度が同じであり、また支持壁をケース本体の二つの頂点と、それらの頂点を通らぬ辺の中点とを通る三角形の板体で構成したので、ＩＣタグをケース本体の中央部に支持して耐熱性を更に高めることができる。
【００３５】
また請求項３に記載された発明によれば、ＩＣタグのアンテナ部をケース本体の外部に露出させたので、ケース本体の材質や形状に関わらずに安定した受送信を行うことができる。
【００３６】
また請求項４に記載された発明によれば、アンテナ部をケース本体の頂点から外部に露出させたので、ケース本体の三角形の面から外部に露出させる場合に比べて、アンテナ部がケース本体の下敷きになる確率を低くして通信の感度を確保することができる。
【００３７】
また請求項５に記載された発明によれば、支持壁に複数のＩＣタグを支持したので、ＩＣタグの数を増加させて記憶される情報量を増加させることができるだけでなく、周波数の異なる複数のＩＣタグを同じケース本体に収納することで、種々の用途に対する汎用性を高めることができる。
【００３８】
また請求項６に記載された発明によれば、ＩＣタグを支持する支持壁を断熱材で構成したので、ＩＣタグに熱が伝達され難くして耐熱性を一層高めることができる。
【図面の簡単な説明】
【図１】第１実施例に係るＩＣタグ収納ケースの一部破断斜視図
【図２】第２実施例に係るＩＣタグ収納ケースの一部破断斜視図
【図３】第３実施例に係るＩＣタグ収納ケースの一部破断斜視図
【符号の説明】
１１        ＩＣタグ
１３        ケース本体
１４        支持壁
１６        アンテナ部
【図１】
2005038039.tif 000003
【図２】
2005038039.tif 000004
【図３】
2005038039.tif 000005